(57)【要約】【課題】ハンドルを起立状態に保持することにより、持ち運びやすくかつ飲料を注ぎやすいポットを提供する。【解決手段】上面が円形に開口された容器本体１の上部に肩部材２が装着され、肩部材２の上部にハンドル４が回動可能に装着され、肩部材２の上端に、前方に突出するように注ぎ口７が形成される。ハンドル４は、注ぎ口７を通る直径上に配置され、ハンドル４の前端および後端に取付軸２２が突設され、肩部材２に、ハンドル４を回動可能および上下動可能に保持する保持部２０，２１が前後一対に設けられ、保持部２０，２１に、取付軸２２が装着される挿入孔２４が形成され、挿入孔２４は、取付軸２２よりも上下方向に長く形成され、取付軸２２に長溝３３が設けられ、挿入孔２４に突起３４が設けられる。ハンドル４を持ち上げたときに、突起３４が長溝３３に嵌り、ハンドル４は回動することなく起立状態に保持される。【選択図】図４
0003223057.tif 000002
【実用新案登録請求の範囲】
【請求項１】
上面が円形に開口された容器本体と、容器本体の上部に装着された肩部材と、肩部材の上部に回動可能に装着されたハンドルとを備え、肩部材の上端に、前方に突出するように注ぎ口が形成され、起立したハンドルを持って、容器本体を傾けることにより注ぎ口から飲料を注ぐことができるポットであって、ハンドルは、注ぎ口を通る直径上に配置され、ハンドルの前端および後端に取付軸が突設され、肩部材に、ハンドルを回動可能および上下動可能に保持する保持部が前後一対に設けられ、保持部に、取付軸が装着される挿入孔が形成され、挿入孔は、取付軸を上下方向に移動可能に保持できるように取付軸よりも上下方向に長く形成され、取付軸に被係止部が設けられ、挿入孔に被係止部を係止する係止部が設けられ、ハンドルを持ち上げたときに、被係止部が係止部に係止され、ハンドルは、回動することなく起立状態に保持されることを特徴にとするポット。
【請求項２】
ハンドルの前端および後端は保持部よりも前側に位置し、前後の取付軸は後方に向かって突出するように形成されたことを特徴とする請求項１記載のポット。
【請求項３】
前側の保持部は、注ぎ口を跨ぐように肩部材の上端に形成され、後側の保持部は、肩部材の上端から離れた位置に形成され、ハンドルは容器本体に対して後側寄りに設けられることを特徴とする請求項１または２記載のポット。
【請求項４】
被係止部は、取付軸の外周に形成された溝とされ、係止部は、挿入孔の内周に形成された細長い突起とされ、ハンドルが上がった位置にあるとき、溝に突起が嵌って、ハンドルが起立状態に保持され、ハンドルが下がった位置にあるとき、取付軸が突起に接触することなくハンドルが回動可能となることを特徴とする請求項１〜３のいずれかに記載のポット。
【請求項５】
容器本体は内容器と外容器からなる２重構造とされ、内容器は三角フラスコ状に形成されたことを特徴とする請求項１〜４のいずれかに記載のポット。
【考案の詳細な説明】
【技術分野】
【０００１】
本考案は、ハンドルを持って、容器本体を傾けることにより飲料を注ぐポットに関する。
【背景技術】
【０００２】
取っ手が容器本体の側面に一体的に設けられた卓上ポットでは、取っ手を持って、容器本体を傾けると、飲料が注がれる。しかし、ポットを持ち運ぶとき、容器本体が傾きやすく、飲料が入っていると、飲料がこぼれるおそれがある。一方、容器本体にハンドルが回動可能に設けられたポットでは、ハンドルを持つと、容器本体を提げることができ、ポットの携行が容易となる。このようなハンドルを備えたポットにおいて、飲料を注ぐとき、ハンドルを持って、容器本体を傾ける。このとき、ハンドルがぐらつくと、注ぎにくくなる。
【０００３】
そこで、ハンドルの回動を規制する構造として、例えば特許文献１には、内周面に内周突起を設けた弾性ピンをハンドル支持軸が挿入される挿入孔に装着し、ハンドル支持軸の外周面に外周突起を設け、ハンドルが回動するとき、内周突起が外周突起を乗り越えるようにして、ハンドルの回動に対して制動力を作用させることが記載されている。
【先行技術文献】
【特許文献】
【０００４】
【特許文献１】特許第５８３８１４７号公報
【考案の開示】
【考案が解決しようとする課題】
【０００５】
ポットを持ち上げるとき、ハンドルは起立状態となる。しかしながら、上記の構造では、ハンドルを起立状態に保持することができない。そのため、ハンドルを持って、飲料を注ぐとき、容器本体が不安定になり、うまく注ぐことができない。
【０００６】
本考案は、上記に鑑み、ハンドルを起立状態に保持することにより、持ち運びやすくかつ飲料を注ぎやすいポットの提供を目的とする。
【課題を解決するための手段】
【０００７】
本考案のポットは、上面が円形に開口された容器本体と、容器本体の上部に装着された肩部材と、肩部材の上部に回動可能に装着されたハンドルとを備え、肩部材の上端に、前方に突出するように注ぎ口が形成され、起立したハンドルを持って、容器本体を傾けることにより注ぎ口から飲料を注ぐことができる。そして、ハンドルは、注ぎ口を通る直径上に配置され、ハンドルの前端および後端に取付軸が突設され、肩部材に、ハンドルを回動可能および上下動可能に保持する保持部が前後一対に設けられ、保持部に、取付軸が装着される挿入孔が形成され、挿入孔は、取付軸を上下方向に移動可能に保持できるように取付軸よりも上下方向に長く形成され、取付軸に被係止部が設けられ、挿入孔に被係止部を係止する係止部が設けられ、ハンドルを持ち上げたときに、被係止部が係止部に係止され、ハンドルは、回動することなく起立状態に保持される。
【０００８】
ポットを持ち運ぶとき、ハンドルは起立状態に保持されているので、容器本体はぐらつかない。ポットから飲料を注ぐとき、容器本体を傾けてもハンドルは回動せず、安定して注ぐことができる。
【０００９】
ハンドルの前端および後端は保持部よりも前側に位置し、前後の取付軸は後方に向かって突出するように形成される。容器本体を傾けると、前側にあるハンドルに荷重がかかり、ハンドルの安定性が増す。また、取付軸が同じ向きに突き出ているので、取付軸を挿入孔に装着しやすくなる。
【００１０】
前側の保持部は、注ぎ口を跨ぐように肩部材の上端に形成され、後側の保持部は、肩部材の上端から離れた位置に形成され、ハンドルは容器本体に対して後側寄りに設けられる。ハンドルの後側を持ちやすくなるので、容器本体を傾けたとき、ハンドルをしっかり持つことができる。
【００１１】
被係止部は、取付軸の外周に形成された溝とされ、係止部は、挿入孔の内周に形成された細長い突起とされ、ハンドルが上がった位置にあるとき、溝に突起が嵌って、ハンドルが起立状態に保持され、ハンドルが下がった位置にあるとき、取付軸が突起に接触することなくハンドルが回動可能となる。横倒し状態のハンドルを持ち上げるだけで、ハンドルを容易に起立状態に保持できる。
【００１２】
容器本体は内容器と外容器からなる２重構造とされ、内容器は三角フラスコ状に形成される。容器本体を傾けていくことにより、飲料を残らず排出することができる。
【考案の効果】
【００１３】
本考案によると、容器本体を持ち上げたとき、ハンドルがぐらつかないので、ポットの持ち運びが容易となる。そして、飲料を注ぐとき、容器本体をぐらつくことなく傾けることができ、飲料を安定的に注ぐことができる。
【図面の簡単な説明】
【００１４】
【図１】本考案の実施形態のポットの斜視図
【図２】ポットの側面図
【図３】ポットの正面図
【図４】ポットの断面図
【図５】肩部材の斜視図
【図６】肩部材の正面図
【図７】肩部材の背面図
【図８】ハンドルの斜視図
【図９】ハンドルが横倒し状態にあるポットの斜視図
【考案を実施するための最良の形態】
【００１５】
本実施形態の卓上用ポットを図１〜４に示す。ポットは、上面が円形に開口された容器本体１と、容器本体１の上部に装着された肩部材２と、容器本体１の開口を塞ぐ栓体３と、肩部材２の上部に回動可能に装着されたハンドル４とから構成される。
【００１６】
容器本体１は、ステンレス鋼製の内容器５と外容器６とから形成された断熱二重構造とされる。内容器５は、図４に示すように、三角フラスコ状に形成される。図５に示すように、肩部材２は、容器本体１の上部を覆う筒状に形成され、容器本体１の開口の上縁に着脱可能に取り付けられる。肩部材２の上部の前側に、注ぎ口７が設けられる。
【００１７】
栓体３は、容器本体１の開口を塞ぐように肩部材２に着脱可能に取り付けられ、内容器５の内部と注ぎ口７とを連通する流路１０を有している。栓体３は、容器本体１の開口を開閉する開閉弁１１と、開閉弁１１を上下方向に移動可能に支持する栓本体１２と、開閉弁１１を上下動させる操作レバー１３と、栓本体１２の上面を塞ぐ着脱可能な蓋１４とを備えている。栓本体１２の上部が肩部材２の上部に取り付けられ、栓本体１２の下部が内容器５に挿入される。栓本体１２の下端にパッキン１５が装着され、パッキン１５は内容器５の内周面に密着している。開閉弁１１は、ばね１６により上方向に付勢されており、開閉弁１１の下端がパッキン１５に密着する。このとき、容器本体１の開口は閉じられている。操作レバー１３を押すと、開閉弁１１が下がる。容器本体１の開口が開き、内容器５から注ぎ口７への流路１０が通じる。
【００１８】
注ぎ口７は、前方に向かって細長く突き出すように形成される。そして、図３に示すように、注ぎ口７を通る直径上にハンドル４が配置される。すなわち、ハンドル４は、容器本体１に対して前後方向に差し渡される。図５〜７に示すように、肩部材２に、ハンドル４を回動可能および上下動可能に保持する保持部２０，２１が前後一対に設けられる。前後の保持部２０，２１の上部にハンドル４が装着される。
【００１９】
図８に示すように、半円弧状に形成されたハンドル４の前端および後端に取付軸２２が突設される。前側の取付軸２２は、ハンドル４の前端の内面に後方に向かって突出するように形成される。ハンドル４の後端の外面に、凹部２３が形成され、凹部２３に後側の取付軸２２が後方に向かって突出するように形成される。
【００２０】
前後の保持部２０，２３１、取付軸２２が取り付けられる挿入孔２４が形成される。前側の保持部２０は、注ぎ口７を跨ぐように肩部材２の上端に形成される。前側の保持部２０は、上方に向かって山形に突出し、保持部２０の中央に挿入孔２４が形成される。後側の保持部２１は、肩部材２の後側の外周面から斜め上方向に向かって突出するように形成され、保持部２１の上部は、肩部材２の上端から離れた位置にある。ハンドル４の凹部２３に対向する後側の保持部２１の上部に、挿入孔２４が形成される。前後の挿入孔２４は容器本体１の上端から同じ高さに位置し、前後の挿入孔２４の中心は注ぎ口７を通る直径上に位置する。
【００２１】
ハンドル４は、容器本体１に対して後側寄りに設けられる。そのため、容器本体１の後側では、肩部材２とハンドル４との間に空間ができる。ハンドル４の後側の内面が凹凸に形成され、グリップ部３０とされる。グリップ部３０の前側には広い空間ができているので、グリップ部３０を掴みやすい。そして、グリップ部３０を握ると、ハンドル４に指が引っ掛かり、ハンドル４を持つ手が滑りにくくなる。
【００２２】
挿入孔２４は、取付軸２２を上下方向に移動可能に保持できるように取付軸２２よりも上下方向に長く形成される。すなわち、挿入孔２４の横方向の長さは、取付軸２２の直径とほぼ同じとされ、挿入孔２４の縦方向の長さは、取付軸２２の直径よりも大きくされる。したがって、挿入孔２４において、取付軸２２は上下方向に移動可能かつ回動可能とされる。
【００２３】
ハンドル４の前端および後端は保持部２０，２１よりも前側に位置し、取付軸２２は、挿入孔２４に前方から挿入されて、回動可能に支持される。取付軸２２は挿入孔２４を貫通し、取付軸２２の後部が保持部２０，２１から突出している。各取付軸２２の後部に、円周方向の円溝３１が形成され、円溝３１にゴムリング３２が嵌め込まれる。ゴムリング３２は、挿入孔２４よりも大きめに形成され、保持部２０，２１よりも後側に位置する。これにより、各取付軸２２は挿入孔２４から抜け出ない。
【００２４】
ハンドル４は、図３に示すような起立状態と図９に示す横倒し状態との間で回動する。ハンドル４を持ち上げたとき、ハンドル４が起立状態で保持されるように、ハンドル４の回動が規制される。すなわち、各取付軸２２に被係止部が設けられ、各挿入孔２４に被係止部を係止する係止部が設けられる。ハンドル４を持ち上げたときに、被係止部が係止部に係止される。
【００２５】
被係止部は、取付軸２２の外周に前後方向に形成された長溝３３とされ、係止部は、挿入孔２４の内周に前後方向に形成された細長い突起３４とされる。ハンドル４が上がった位置にあるとき、長溝３３に突起３４が嵌って、ハンドル４の回動が規制され、ハンドル４が起立状態に保持される。ハンドル４が下がった位置にあるとき、取付軸２２が突起３４に接触することはなく、ハンドル４は回動可能となる。後側の保持部２１に、前方に向かって突き出た凸部３５が形成され、凸部３５はハンドル４の後端の下方に位置する。ハンドル４が横倒しになったとき、ハンドル４が凸部３５に当接して、ハンドル４の回動が規制される。ハンドル４が回動したとき、ハンドル４が肩部材２に接触することはなく、ハンドル４は横倒し状態に保持される。
【００２６】
ポットを持ち上げるとき、ハンドル４を起立させて持ち上げる。まずハンドル４が上方向に移動して、突起３４が長溝３３に嵌る。ハンドル４は起立状態になって保持される。ポットを持ち運ぶとき、ハンドル４はぐらつかない。容器本体１に入っている飲料を注ぐとき、操作レバー１３を押して、容器本体１の開口を開いてから、ハンドル４を持って容器本体１を傾ける。ハンドル４は起立状態に保持されているので、容器本体１をそのまま傾けていくことができ、内容器５にある飲料は流路１０を通って注ぎ口７から注がれる。容器本体１を傾けたとき、ハンドル４の前端および後端が保持部２０，２１よりも下側になるので、ハンドル４が容器本体１の荷重を受け、ハンドル４がぐらつきにくくなる。
【００２７】
ここで、ハンドル４のグリップ部３０を持つことにより、容器本体１を大きく傾けることができる。容器本体１の下部がハンドル４の後端よりも高くなるまで傾けると、三角フラスコ状の内容器５の傾斜している中間部がほぼ水平になり、内部に入っている飲料がスムーズに流れ出ていく。このように、容器本体１に対してハンドル４の回動が規制された状態を維持しながら容器本体１を傾けることができるので、ハンドル４がぐらつくことなく容器本体１を安定的に傾けることができ、入っている飲料を残らず排出することができる。
【００２８】
なお、本考案は、上記実施形態に限定されるものではなく、本考案の範囲内で上記実施形態に多くの修正および変更を加え得ることは勿論である。上記のポットは保温ポットであるが、電気ポット、ケトルに上記のハンドル４の構造を適用してもよい。また、容器本体１と肩部材２が一体になったポットに適用してもよい。
【００２９】
被係止部として、取付軸２２を三角形、四角形、六角形といった転がりやすい多角形状に形成し、係止部として、挿入孔２４の上部を多角形状の取付軸２２が嵌り込む孔としてもよい。取付軸２２が挿入孔２４の上部に嵌り込むことにより、ハンドル４の回動が規制される。そして、挿入孔２４の下部を取付軸２２よりも大きな孔にして、取付軸２２が回動できるようにすると、ハンドル４を倒せる。
【符号の説明】
【００３０】
１    容器本体
２    肩部材
３    栓体
４    ハンドル
７    注ぎ口
２０    前側の保持部
２１    後側の保持部
２２    取付軸
２４    挿入孔
３０    グリップ部
３３    長溝
３４    突起
【図１】
0003223057.tif 000003
【図２】
0003223057.tif 000004
【図３】
0003223057.tif 000005
【図４】
0003223057.tif 000006
【図５】
0003223057.tif 000007
【図６】
0003223057.tif 000008
【図７】
0003223057.tif 000009
【図８】
0003223057.tif 000010
【図９】
0003223057.tif 000011